(57)【要約】  本発明は、例えば低温外科において用いられる低温を生ぜしめるための極低温液化ガスを使用するための低温媒体調量装置に関する。本発明により、部分的に汚染されたガスであっても障害のない運転が保証されるべきであって、これまでカプセルのドッキング時に生じる恐れのあった操作エラーが排除されるのが望ましい。本発明によれば、カプセル内にろ過されたガスを収容している、毛細管を備えた低温媒体調量装置が設けられている。ガスは直接にディスペンサにさらに送られる。これにより問題のない運転が保証されている。確実にシールをするいわゆる「Ｏリング走入」によるカプセルと調量装置との簡単なドッキングにより操作エラーのない取り扱いが保証される。
2008506895.tif 000002
【特許請求の範囲】
【請求項１】
極低温液化ガスを微調量するための低温媒体調量装置において、
ばね負荷されたレバーによって軸方向で運動可能な毛細管を有しており、該毛細管の内径が０．２〜０．８ｍｍ、有利には０．７ｍｍであって、前記毛細管は片側で閉じられており、ここで直接接続するように、管の周面に設けられた、直径０．１〜０．６ｍｍ、有利には０．４ｍｍの少なくとも１つの孔を有しており、前記毛細管は１つのケーシングに挿入されていて、ケーシングの両端部には、弁を備えたカプセルおよびノズルを備えたディスペンサをドッキングさせるためのそれぞれ１つのねじ山が設けられていることを特徴とする、極低温液化ガスを微調量するための低温媒体調量装置。
【請求項２】
軸方向で摺動可能な毛細管がその閉じられた側でカプセルにおける弁栓を摺動させて、これによりカプセルを開放させ、カプセルのガスを毛細管にある孔を介して毛細管内に流入させ、ドッキングされたディスペンサへとさらに案内する、請求項１記載の低温媒体調量装置。
【請求項３】
フィルタを有していない、請求項１記載の低温媒体調量装置。
【請求項４】
高度光沢研磨された毛細管が設けられており、該毛細管が、弁とフィルタを備えたカプセルをドッキングする際ならびにノズルを備えたディスペンサをドッキングさせる際にそれぞれ１つのＯリング内へと走入させられ、軸方向運動（弁の開閉運動）の際に極めて良好なシールを生ぜしめる、請求項１記載の低温媒体調量装置。
【請求項５】
カプセルの残留ガス放出のために付加的な構成部分を要さない、請求項１記載の低温媒体調量装置。
【発明の詳細な説明】
【技術分野】
【０００１】
本発明は、例えば寒冷医学のための低温を生ぜしめるための極低温液化ガスのための液体冷凍系の低温媒体調量装置に関する。
【０００２】
液体冷凍系を有した低温媒体調量装置は、使用時のガス消費量が論理的に必要な低温媒体量に極めて近似しているので有利である。ＰＣＴ１９９５８９８８．７に記載された低温媒体調量装置は、有利には、ガス充填された小さいカプセルを使用することにより極めて良好なモビリティを有していて、極めて効果的であって、実用的に取り扱うことができる。
【０００３】
しかしながらこの調量装置の欠点は、カプセル内のガスが部分的に著しい汚染粒子を有しているので、市販のカプセルとしか使用できないことである。さらにカプセルは、かなりの力をかけて機械的に突き刺して開かねばならない。この場合、金属摩耗屑が生じ、これは設けられたフィルタを著しく負荷する。
【０００４】
調量装置へのカプセルのドッキングは、（押圧時に）細心の注意を要する。さもないと漏れ（不密性）が生じる恐れがあるからである。
【０００５】
ドッキング区域の領域におけるシール手段は極端な摩耗下にある。何故ならば、部分的に極めて粗い表面品質を有するカプセル首部はシールに適していないからである。物理的および技術的な条件により、低温媒体調量装置に組み込まれたフィルタは、極めて小さな有効フィルタ面積しか有していない。ここに、汚染粒子を集めることにより、流体極低温ガスの通過時にいわゆる、ジュールトムソン効果が生じる。ジュールトムソン効果において生じるミクロサイズの氷晶粒子がディスペンサ毛細管を詰まらせるので、この低温媒体調量装置は使用することはできない。最後に、技術的条件によりなお存在するガス状態の残留ガス量が比較的高いガスの流出速度で離れる際に、カプセル内部からの溶けた汚染粒子が付加的にフィルタを負荷する。
【０００６】
本発明の課題は、前述の欠点を有しておらず、確実な機能と簡単な構成形式を有する低温媒体調量装置を提供することである。
【０００７】
この課題は、本発明によれば請求項１の特徴部により解決される。
【０００８】
請求項２以下に、本発明の特に有利な構成が記載されている。本発明による手段により、特に、低温媒体調量装置を、弁が組み込まれたカプセルにドッキングさせる機構により、押圧カプセルを公知の形式の低温媒体調量装置でシールする際の、不十分な押圧力といった誤操作が生じる可能性を排除することができる。
【０００９】
さらに、押圧カプセル、およびこれに結合されたガス高圧噴出体が早期に緩んで外れるといった大きな危険が排除される。何故ならばカプセルに組み込まれた弁は、低温媒体調量装置を緩める際に閉じられたままでありガスが逃げることはないからである。
【００１０】
カプセルに組み込まれたフィルタは極めて大きなフィルタ面を有しており、これによりジュールトムソン効果は生じ得ない。
【００１１】
さらにこのフィルタは、カプセルの液化ガス位相において、ジュールトムソン効果の形成が排除されているような操作位置に位置している。
【００１２】
フィルタが５μの孔サイズを有していると特に有利であり、これにより流出するガスが実際に無菌である。
【００１３】
組み込まれた弁とフィルタを有するカプセルは、使い捨て品として形成されているので、弁の摩耗の問題およびフィルタ負荷の問題は重要ではない。
【００１４】
低温媒体調量装置の構造的に簡単な構成およびその（ディスペンサがねじ外された状態で可動の毛細管の簡単な吹き込みによる）ドッキングされたカプセルからの極低温ガスによるクリーニング可能性により、低温媒体調量装置は極めて高い耐用寿命を有している。
【００１５】
本発明の有利な構成では、機能を維持するために低温媒体調量装置はフィルタを必要としない。市場に出ている装置は、常にフィルタ交換を考慮しなければならない。
【００１６】
さらに有利には、低温媒体調量装置のガス流出個所に、ねじのようなねじ山によって手で簡単にあらゆる種類のディスペンサをドッキングさせることができ、これはＯリングによって、高度光沢研磨された毛細管上で確実にシールされる。
【００１７】
添付の図面７には、本発明により形成された低温媒体調量装置が断面図で示されていて、この低温媒体調量装置は、レバーと、ドッキング構成部分である、弁を備えたカプセルならびにガラス毛細管ノズルおよび保護キャップを備えた調量装置とを有している。
【００１８】
添付の図面８では、低温媒体調量装置が拡大断面図で示されている。低温媒体調量装置は毛細管１を有しており、該毛細管１は閉じられた側で、カプセルの方向で、ガス流入のための開口１０を有している。レバー６の運動ＡＢにより、毛細管１に堅固に結合されている、ばね３によって負荷されたスライダ７が軸方向で運動する。ねじ山４によって、孔１０を備えた毛細管１が弁を有したカプセルに、カプセルの弁を塞ぐためにカプセルの弁に装着されたＯリングを介してドッキングされた後、前記のようなスライダ７の軸方向運動により毛細管１は運動し、これによりカプセルは開放される。ガスは孔１０から毛細管１内に入り、ねじ山９にねじ込まれているドッキングされたディスペンサへと方向８で流れる。ディスペンサは、Ｏリングで毛細管１上を摺動し、効果的にシールされている。
【図面の簡単な説明】
【００１９】
【図７】本発明により形成された低温媒体調量装置を、レバーと、弁を備えたカプセルと、ガラス毛細管ノズルおよび保護キャップを備えた調量装置とともに示した断面図である。
【図８】図７の低温媒体調量装置のうち、レバーを備えた調量装置のみを拡大して示した断面図である。
【図７】
2008506895.tif 000003
2008506895.tif 000004
【図８】
2008506895.tif 000005
2008506895.tif 000006
【国際調査報告】
2008506895.tif 000007
2008506895.tif 000008
2008506895.tif 000009
2008506895.tif 000010